(57)【要約】  【課題】  イコライズ調整時間を短縮できるようにし、実際に光ディスクの再生が開始されるまでの時間の短縮を図り、使い勝手を向上させることができる光ディスク再生装置を提供する。  【解決手段】  光ディスク１が１倍速に達したときにデジタルイコライザ６のブーストポイントをブーストポイント初期設定手段１０２により初期設定し、次に、そのブーストポイントをブーストポイント変化手段１０３によりステップ的に変化させ、初期設定されたプーストポイントおよびステップ的に変化させたブーストポイントでのジッタをジッタ計測手段１０４により計測する。更に、ブーストポイントとジッタの関係をブーストポイント／ジッタ記憶手段１０５に記憶し、記憶したジッタの中で最良のジッタに対応するブーストポイントをブーストポイント選択設定手段１０６により選択してデジタルイコライザ６に設定する。【選択図】      図１
2005149563.tif 000002
【特許請求の範囲】
【請求項１】
スピンドルモータにより回転されている光ディスクにレーザ光を照射し、その反射光を
受光してＲＦ信号を出力する光ピックアップと、この光ピックアップから出力されたＲＦ
信号を所定処理して再生信号を生成する信号処理回路とを備えた光ディスク再生装置にお
いて、ディスク規格のリードクロック信号の３倍の周期のサンプリング信号に従って前記
光ピックアップからのＲＦ信号をアナログ／デジタル変換するＡ／Ｄ変換回路と、前記Ｒ
Ｆ信号の周波数特性を調整するために前記サンプリング信号に従って前記Ａ／Ｄ変換回路
からのデジタル信号をイコライジングするデジタルイコライザとを備え、更に、前記光デ
ィスクの回転速度が１倍速に達したことを検出する回転速度検出手段、この回転速度検出
手段により前記光ディスクの回転速度が１倍速に達したときに前記デジタルイコライザの
ブーストポイントを初期設定するブーストポイント初期設定手段、前記初期設定されたブ
ーストポイントをステップ的に変化させるブーストポイント変化手段、前記初期設定され
たプーストポイントおよび前記ステップ的に変化させたブーストポイントでの前記デジタ
ルイコライザのジッタを計測するジッタ計測手段、前記ブーストポイントとジッタの関係
を記憶するブーストポイント／ジッタ記憶手段、および前記記憶されたジッタの中で最良
のジッタに対応するブーストポイントを選択して前記デジタルイコライザに設定するブー
ストポイント選択設定手段を有するシステムコントローラを備えたことを特徴とする光デ
ィスク再生装置。
【請求項２】
スピンドルモータにより回転されている光ディスクにレーザ光を照射し、その反射光を
受光してＲＦ信号を出力する光ピックアップと、この光ピックアップから出力されたＲＦ
信号を所定処理して再生信号を生成する信号処理回路とを備えた光ディスク再生装置にお
いて、ディスク規格のリードクロック信号に基づくサンプリング信号に従って前記光ピッ
クアップからのＲＦ信号をアナログ／デジタル変換するＡ／Ｄ変換回路と、前記ＲＦ信号
の周波数特性を調整するために前記サンプリング信号に従って前記Ａ／Ｄ変換回路からの
デジタル信号をイコライジングするデジタルイコライザと、前記光ディスクの回転速度が
１倍速に達したときに前記デジタルイコライザの最良のジッタに対応するブーストポイン
トをデジタルイコライザに設定するシステムコントローラとを備えたことを特徴とする光
ディスク再生装置。
【請求項３】
前記ディスク規格のリードクロック信号に基づくサンプリング信号とは、ディスク規格
のリードクロック信号の３倍の周期のサンプリング信号であることを特徴とする請求項２
に記載の光ディスク再生装置。
【請求項４】
前記システムコントローラは、光ディスクの回転速度が１倍速に達したことを検出する
回転速度検出手段と、この回転速度検出手段により前記光ディスクの回転速度が１倍速に
達したときにデジタルイコライザのブーストポイントを初期設定するブーストポイント初
期設定手段と、前記初期設定されたブーストポイントをステップ的に変化させるブースト
ポイント変化手段と、前記初期設定されたプーストポイントおよび前記ステップ的に変化
させたブーストポイントでの前記デジタルイコライザのジッタを計測するジッタ計測手段
と、前記ブーストポイントとジッタの関係を記憶するブーストポイント／ジッタ記憶手段
と、前記記憶されたジッタの中で最良のジッタに対応するブーストポイントを選択して前
記デジタルイコライザに設定するブーストポイント選択設定手段とを有することを特徴と
する請求項２に記載の光ディスク再生装置。
【発明の詳細な説明】
【技術分野】
【０００１】
本発明は、光ディスクに記録された情報を再生する光ディスク再生装置に関する。
【背景技術】
【０００２】
従来から、ＤＶＤ（Digital Versatile Disc）やＣＤ（Compact Disc）などの光ディス
クを再生する光ディスク再生装置は、この装置にセットされた光ディスクから光ピックア
ップにより読み取ったＲＦ信号に対してイコライズ調整を行うイコライザを備えている。
光ディスクから読み取ったＲＦ信号は、種々の周波数成分を含んだ信号であり、高い周波
数ほどそのレベルが低く、また、レベルが低い信号ほどジッタが悪い。イコライズ調整は
、ＲＦ信号のジッタを最適化するための処理であり、具体的には光ディスクから読み取っ
たＲＦ信号について、予め定めた周波数を超える成分をカットすると共に、ブーストする
処理である。
【０００３】
イコライズ調整におけるＲＦ信号のカットオフ周波数およびブースト量は、装置にセッ
トされて再生する光ディスクにおけるデータの記録密度や信号品位などにより変化するた
め、再生する光ディスクに応じて設定しなければならない。このため、従来の光ディスク
再生装置では、セットされた光ディスクについて、再生に先立って、ジッタが最適となる
ＲＦ信号のカットオフ周波数およびブースト量を検出し、再生時には前記検出したカット
オフ周波数およびブースト量に基づいてイコライザによるイコライズ調整を行っている（
特許文献１，２参照）。なお、特許文献３の従来技術では、光ディスクから読み出された
ＲＦ信号に対するイコライズ調整に関しては開示されていない。
【特許文献１】特開２００１−１２６２６１号公報
【特許文献２】特開２００２−８２４３号公報
【特許文献３】特開平８−７４８９号公報
【発明の開示】
【発明が解決しようとする課題】
【０００４】
しかしながら、従来の光ディスク再生装置は、この装置にセットされている光ディスク
が再生時の回転速度で回転されている状態で、ジッタを最適化するためのＲＦ信号のカッ
トオフ周波数およびブースト量を検出していた。具体的には、ユーザが光ディスク再生装
置に対して光ディスクの再生開始の入力操作を行うと、光ディスクが回転を開始し、この
光ディスクの回転速度が再生時の回転速度に達するのを待って、ＲＦ信号のカットオフ周
波数およびブースト量を検出していた。
【０００５】
このように従来の光ディスク再生装置は、光ディスクの回転速度が再生時の回転速度に
達してから、ＲＦ信号のカットオフ周波数およびブースト量を検出するように構成されて
いるので、光ディスクの回転を開始してから、この光ディスクの回転速度が再生時の回転
速度に達するまでの時間が、処理の待ち時間として存在していた。
【０００６】
ところで、従来の光ディスク再生装置では、リード系ＲＦ信号のイコライザはアナログ
フィルタで実現されており、例えば図４に示すように、ブーストポイントＢは常に一定で
あり、フィルタの周波数特性は常に一定である。このようにイコライザがアナログフィル
タで実現されている場合、そのアナログフィルタの周波数特性はディスクサーボに依存し
ないため、光ディスクの回転速度を例えば１．５倍速になるまで加速させないと、ＲＦ信
号のブーストポイントがずれるため、待ち時間を多く要し、イコライズ調整に多くの時間
を要していた。この待ち時間により、ユーザが再生開始の入力操作を行ってから実際に光
ディスクの再生が開始されるまでの時間、即ちユーザを待たせる時間が長くなり、使い勝
手が良くないという課題があった。
【０００７】
本発明は、上記のような課題を解決するためになされたもので、イコライズ調整時間を
短縮できるようにすることにより、実際に光ディスクの再生が開始されるまでの時間の短
縮を図り、使い勝手を向上させることができる光ディスク再生装置を提供することを目的
とする。
【課題を解決するための手段】
【０００８】
上記目的を達成するために、請求項１の発明は、スピンドルモータにより回転されてい
る光ディスクにレーザ光を照射し、その反射光を受光してＲＦ信号を出力する光ピックア
ップと、この光ピックアップから出力されたＲＦ信号を所定処理して再生信号を生成する
信号処理回路とを備えた光ディスク再生装置において、ディスク規格のリードクロック信
号の３倍の周期のサンプリング信号に従って前記光ピックアップからのＲＦ信号をアナロ
グ／デジタル変換するＡ／Ｄ変換回路と、前記ＲＦ信号の周波数特性を調整するために前
記サンプリング信号に従って前記Ａ／Ｄ変換回路からのデジタル信号をイコライジングす
るデジタルイコライザとを備え、更に、前記光ディスクの回転速度が１倍速に達したこと
を検出する回転速度検出手段、この回転速度検出手段により前記光ディスクの回転速度が
１倍速に達したときに前記デジタルイコライザのブーストポイントを初期設定するブース
トポイント初期設定手段、前記初期設定されたブーストポイントをステップ的に変化させ
るブーストポイント変化手段、前記初期設定されたプーストポイントおよび前記ステップ
的に変化させたブーストポイントでの前記デジタルイコライザのジッタを計測するジッタ
計測手段、前記ブーストポイントとジッタの関係を記憶するブーストポイント／ジッタ記
憶手段、および前記記憶されたジッタの中で最良のジッタに対応するブーストポイントを
選択して前記デジタルイコライザに設定するブーストポイント選択設定手段を有するシス
テムコントローラを備えたことを特徴とする光ディスク再生装置を提供する。
【０００９】
この構成において、光ピックアップからのＲＦ信号は、Ａ／Ｄ変換回路に入力され、デ
ィスク規格のリードクロック信号の３倍の周期のサンプリング信号に従ってアナログ／デ
ジタル変換される。デジタル信号に変換されたＲＦ信号は、周波数特性を調整するために
デジタルイコライザに入力され、前記サンプリング信号に従ってイコライジングされる。
このイコライジングを行うため、システムコントローラは、光ディスクの回転速度が１倍
速に達したことを回転速度検出手段により検出し、光ディスクの回転速度が１倍速に達し
たときに前記デジタルイコライザのブーストポイントをブーストポイント初期設定手段に
より初期設定する。次に、前記初期設定されたブーストポイントをブーストポイント変化
手段によりステップ的に変化させ、前記初期設定されたプーストポイントおよび前記ステ
ップ的に変化させたブーストポイントでの前記デジタルイコライザのジッタをジッタ計測
手段により計測する。更に、前記ブーストポイントとジッタの関係をブーストポイント／
ジッタ記憶手段に記憶し、前記記憶されたジッタの中で最良のジッタに対応するブースト
ポイントを、ブーストポイント選択設定手段により選択して前記デジタルイコライザに設
定する。
【００１０】
この構成によれば、デジタルイコライザのサンプリング信号にリードクロック信号の３
倍の周期の信号を用いるので、イコライザの周波数特性はディスクサーボに依存し、光デ
ィスクの回転速度が１倍速であってもブーストポイントは常に一定にすることができ、こ
の結果、例えば、１．５倍速まで加速する必要がなく、倍速に依存しないイコライズ調整
が可能となる。したがって、イコライズ調整時間を短縮できることによって、実際に光デ
ィスクの再生が開始されるまでの時間が短縮し、使い勝手が向上する。
【００１１】
請求項２の発明は、スピンドルモータにより回転されている光ディスクにレーザ光を照
射し、その反射光を受光してＲＦ信号を出力する光ピックアップと、この光ピックアップ
から出力されたＲＦ信号を所定処理して再生信号を生成する信号処理回路とを備えた光デ
ィスク再生装置において、ディスク規格のリードクロック信号に基づくサンプリング信号
に従って前記光ピックアップからのＲＦ信号をアナログ／デジタル変換するＡ／Ｄ変換回
路と、前記ＲＦ信号の周波数特性を調整するために前記サンプリング信号に従って前記Ａ
／Ｄ変換回路からのデジタル信号をイコライジングするデジタルイコライザと、前記光デ
ィスクの回転速度が１倍速に達したときに前記デジタルイコライザの最良のジッタに対応
するブーストポイントをデジタルイコライザに設定するシステムコントローラとを備えた
ことを特徴とする光ディスク再生装置を提供する。
【００１２】
この構成において、光ピックアップからのＲＦ信号は、Ａ／Ｄ変換回路に入力され、デ
ィスク規格のリードクロック信号に基づくサンプリング信号に従ってアナログ／デジタル
変換される。デジタル信号に変換されたＲＦ信号は、周波数特性を調整するためにデジタ
ルイコライザに入力され、前記サンプリング信号に従ってイコライジングされる。このイ
コライジングを行うため、システムコントローラは、光ディスクの回転速度が１倍速に達
したときに、デジタルイコライザの最良のジッタに対応するブーストポイントをデジタル
イコライザに設定する。
【００１３】
この構成によれば、デジタルイコライザのサンプリング信号に、リードクロック信号に
基づく信号を用いるので、イコライザの周波数特性はディスクサーボに依存し、光ディス
クの回転速度が１倍速であってもブーストポイントは常に一定にすることができ、この結
果、例えば、１．５倍速まで加速する必要がなく、倍速に依存しないイコライズ調整が可
能となる。したがって、イコライズ調整時間を短縮できることによって、実際に光ディス
クの再生が開始されるまでの時間が短縮し、使い勝手が向上する。
【００１４】
請求項３の発明では、請求項２の発明において、ディスク規格のリードクロック信号に
基づくサンプリング信号とは、ディスク規格のリードクロック信号の３倍の周期のサンプ
リング信号であるので、デジタルイコライザのイコライズ調整を精度良く行うことができ
る。
【００１５】
請求項４の発明では、請求項２の発明において、システムコントローラは、光ディスク
の回転速度が１倍速に達したことを検出する回転速度検出手段と、この回転速度検出手段
により前記光ディスクの回転速度が１倍速に達したときにデジタルイコライザのブースト
ポイントを初期設定するブーストポイント初期設定手段と、前記初期設定されたブースト
ポイントをステップ的に変化させるブーストポイント変化手段と、前記初期設定されたプ
ーストポイントおよび前記ステップ的に変化させたブーストポイントでの前記デジタルイ
コライザのジッタを計測するジッタ計測手段と、前記ブーストポイントとジッタの関係を
記憶するブーストポイント／ジッタ記憶手段と、前記記憶されたジッタの中で最良のジッ
タに対応するブーストポイントを選択して前記デジタルイコライザに設定するブーストポ
イント選択設定手段とを有するので、イコライザの周波数特性はディスクサーボに依存し
、光ディスクの回転速度が１倍速であってもブーストポイントは常に一定にすることがで
きる。
【発明の効果】
【００１６】
以上のように本発明によれば、ディスク規格のリードクロック信号の３倍の周期のサン
プリング信号に従って光ピックアップからのＲＦ信号をアナログ／デジタル変換するＡ／
Ｄ変換回路と、前記ＲＦ信号の周波数特性を調整するために前記サンプリング信号に従っ
て前記Ａ／Ｄ変換回路からのデジタル信号をイコライジングするデジタルイコライザとを
備え、更に、光ディスクの回転速度が１倍速に達したことを検出する回転速度検出手段、
この回転速度検出手段により光ディスクの回転速度が１倍速に達したときに前記デジタル
イコライザのブーストポイントを初期設定するブーストポイント初期設定手段、前記初期
設定されたブーストポイントをステップ的に変化させるブーストポイント変化手段、前記
初期設定されたプーストポイントおよび前記ステップ的に変化させたブーストポイントで
の前記デジタルイコライザのジッタを計測するジッタ計測手段、前記ブーストポイントと
ジッタの関係を記憶するブーストポイント／ジッタ記憶手段、および前記記憶されたジッ
タの中で最良のジッタに対応するブーストポイントを選択して前記デジタルイコライザに
設定するブーストポイント選択設定手段を有するシステムコントローラを備えたので、デ
ジタルイコライザのサンプリング信号にリードクロック信号の３倍の周期の信号を用い、
これにより、イコライザの周波数特性はディスクサーボに依存し、光ディスクの回転速度
が１倍速であってもブーストポイントは常に一定にすることができ、この結果、例えば、
１．５倍速まで加速する必要がなく、倍速に依存しないイコライズ調整が可能となる。し
たがって、イコライズ調整時間を短縮できることによって、実際に光ディスクの再生が開
始されるまでの時間が短縮し、使い勝手が向上する。
【００１７】
また、本発明によれば、ディスク規格のリードクロック信号に基づくサンプリング信号
に従って光ピックアップからのＲＦ信号をアナログ／デジタル変換するＡ／Ｄ変換回路と
、前記ＲＦ信号の周波数特性を調整するために前記サンプリング信号に従って前記Ａ／Ｄ
変換回路からのデジタル信号をイコライジングするデジタルイコライザと、光ディスクの
回転速度が１倍速に達したときに前記デジタルイコライザの最良のジッタに対応するブー
ストポイントをデジタルイコライザに設定するシステムコントローラとを備えたので、デ
ジタルイコライザのサンプリング信号にリードクロック信号に基づく信号を用い、これに
より、イコライザの周波数特性はディスクサーボに依存し、光ディスクの回転速度が１倍
速であってもブーストポイントは常に一定にすることができ、この結果、例えば、１．５
倍速まで加速する必要がなく、倍速に依存しないイコライズ調整が可能となる。したがっ
て、イコライズ調整時間を短縮できることによって、実際に光ディスクの再生が開始され
るまでの時間が短縮し、使い勝手が向上する。
【発明を実施するための最良の形態】
【００１８】
以下、添付図面を参照しつつ、本発明の実施の形態について説明する。図１は本発明の
一実施形態に係る光ディスク再生装置の構成を示すブロック図である。この光ディスク再
生装置は、光ディスク１を回転させるスピンドルモータ３と、光ディスク１にレーザ光を
照射すると共に光ディスク１からの反射光を受光してＲＦ信号を出力する光ピックアップ
２と、ディスク規格のリードクロック信号の３倍の周期のサンプリング信号に従って光ピ
ックアップ２からのＲＦ信号をアナログ／デジタル変換するＡ／Ｄ変換回路５と、前記Ｒ
Ｆ信号の周波数特性を調整するために前記サンプリング信号に従ってＡ／Ｄ変換回路５か
らのデジタルのＲＦ信号をイコライジングするデジタルイコライザ６とを備えている。
【００１９】
また、この光ディスク再生装置は、デジタルイコライザ６からのデジタルのＲＦ信号を
入力して光ディスク１のデータフォーマットに応じた信号復調処理と誤り訂正処理を行っ
て正しいデータを出力する信号処理回路７と、この信号処理回路７からの正しいデータを
入力しデコード化してオーディオ信号とビデオ信号を出力するＡＶデコーダ８とを備えて
いる。信号処理回路７は、スピンドルモータ３や光ピックアップ２をサーボループにより
制御するためのＰＬＬ（Phase Locked Loop）７１ を有し、このＰＬＬ７１は同期信号と
基準信号との位相差に応じた電圧を制御信号として出力する。
【００２０】
また、この光ディスク再生装置は、スピンドルモータ３を回転制御するモータ駆動回路
４と、光ピックアップ２におけるフォーカスサーボおよびトラッキングサーボを制御する
光ピックアップサーボ回路９と、装置全体を制御するシステムコントローラ１０と、ユー
ザが入力操作を行うための複数のキーを有する操作部１１とを備えている。
【００２１】
システムコントローラ１０は、光ディスク１の回転速度が１倍速に達したことを検出す
る回転速度検出手段１０１と、この回転速度検出手段１０１により光ディスク１の回転速
度が１倍速に達したときにデジタルイコライザ６のブーストポイントを初期設定するブー
ストポイント初期設定手段１０２と、前記初期設定されたブーストポイントをステップ的
に変化させるブーストポイント変化手段１０３と、前記初期設定されたプーストポイント
および前記ステップ的に変化させたブーストポイントでのデジタルイコライザ６のジッタ
を計測するジッタ計測手段１０４と、前記ブーストポイントとジッタの関係を記憶するブ
ーストポイント／ジッタ記憶手段１０５と、前記記憶されたジッタの中で最良のジッタに
対応するブーストポイントを選択してデジタルイコライザ６に設定するブーストポイント
選択設定手段１０６とを有する。これらの手段により、デジタルイコライザ６の周波数特
性はディスクサーボに依存し、光ディスク１の回転速度が１倍速であっても、ブーストポ
イントを常に一定にすることができる。
【００２２】
図２は本実施形態におけるデジタルイコライザ６の周波数特性を示す図である。図２に
おいて、ｆはディスク規格のリードクロック信号の３倍の周期（３Ｔ）のサンプリング信
号の周波数を示し、光ディスク１の回転速度が１倍速であってもデジタルイコライザ６の
周波数特性を調整できることが分かる。また、図２において、Ｐ１，Ｐ２などはデジタル
イコライザ６のサンプリング点を示し、サンプリング点Ｐ１，Ｐ２に対応する信号レベル
がデジタル値としてデジタルイコライザ６から出力される。
【００２３】
デジタルイコライザ６のサンプリング信号に、ディスク規格のリードクロック信号に基
づく信号を用いるので、デジタルイコライザ６の周波数特性はディスクサーボに依存する
。つまり、光ディスク１の回転速度が１倍速であっても、例えば、２倍速であっても、デ
ジタルイコライザ６のブーストポイントは、常に一定（常に３Ｔをブースト）にすること
ができる。つまり、従来のように光ディスク１を１．５倍速まで加速する必要がなく、倍
速に依存しないイコライズ調整が可能になる。また、デジタルイコライザ６の周波数特性
は、ＲＦ信号と共に変化し、これにより、イコライジングの精度が高まる。
【００２４】
図３は本実施形態において光ディスク１が回転してからデジタルイコライザ６のイコラ
イズ調整（ＲＦ信号の周波数特性の調整）を行うまでの処理を説明するためのフローチャ
ートである。以下、このフローチャートを参照して、光ディスク１が回転してからデジタ
ルイコライザ６のイコライズ調整を行うまでの処理を説明する。
【００２５】
光ディスク再生装置は、再生開始の指示があると、本処理を開始する。例えば、操作部
１１に設けられた再生キーが操作されたときや、図示しないリモコン装置から送信されて
きた再生開始を指示するコマンドを受信したとき、あるいは光ディスク１が本装置にセッ
トされたときに本処理を開始する。
【００２６】
光ディスク再生装置のシステムコントローラ１０は、モータ駆動回路４を駆動させ、ス
ピンドルモータ３を回転させ、回転速度検出手段１０１により、光ディスク１の回転速度
をチェックし（ステップＳ１）、回転速度が１倍速に達したか否かを判定する（ステップ
Ｓ２）。そして、回転速度が１倍速に達すると、光ディスク１上の特定アドレスをシーク
し（ステップＳ３）、ブーストポイント初期設定手段１０２によりブーストポイントを初
期設定する（ステップＳ４）。つまり、デジタルのＲＦ信号をデジタル的に増幅するブー
ストポイントの初期値を設定する。
【００２７】
次に、ブーストポイント変化手段１０３により、ブーストポイントを初期値からステッ
プ的に変化させ、この例の場合はブーストポイントをステップアップさせる（ステップＳ
５）。即ち、リードクロック信号の３倍の周期（３Ｔ）のサンプリング信号に従ってサン
プリングされ、Ａ／Ｄ・変換回路５からのデジタル信号をデジタル的にどれだけ増幅する
かを決めるために、デジタルイコライザ６のブーストポイントをステップアップさせる。
【００２８】
そして、ステップアップしたブーストポイントにおいてデジタルイコライザ６のジッタ
をジッタ計測手段１０４により計測し（ステップＳ６）、このときのブーストポイントと
ジッタの関係をブーストポイント／ジッタ記憶手段１０５に記憶する（ステップＳ７）。
このステップアップが完了するまでステップＳ５からステップＳ８までの処理を繰り返し
、各ブーストポイントと各ジッタの関係をブーストポイント／ジッタ記憶手段１０５に記
憶しておき、ステップアップが完了すると（ステップＳ８）、ブーストポイント選択設定
手段１０６により、ブーストポイント／ジッタ記憶手段１０５の中から最良のジッタに対
応するブーストポイントを選択してデジタルイコライザ６に設定する（ステップＳ９）。
【００２９】
以上説明したように、デジタルイコライザ６のサンプリング信号にディスク規格のリー
ドクロック信号の３倍の周期の信号を用いるので、デジタルイコライザ６の周波数特性は
ディスクサーボに依存し、光ディスク１の回転速度が１倍速であってもブーストポイント
は常に一定にすることができ、この結果、例えば、１．５倍速まで加速する必要がなく、
倍速に依存しないイコライズ調整が可能となる。したがって、イコライズ調整時間を短縮
できることによって、実際に光ディスク１の再生が開始されるまでの時間が短縮し、使い
勝手が向上する。
【図面の簡単な説明】
【００３０】
【図１】本発明の一実施形態に係る光ディスク再生装置の構成を示すブロック図である。
【図２】前記実施形態におけるデジタルイコライザの周波数特性を示す図である。
【図３】前記実施形態において光ディスクが回転してからデジタルイコライザのイコライズ調整を行うまでの処理を説明するためのフローチャートである。
【図４】従来のアナログイコライザの周波数特性を示す図である。
【符号の説明】
【００３１】
１    光ディスク
２    光ピックアップ
３    スピンドルモータ
５    Ａ／Ｄ変換回路
６    デジタルイコライザ
７    信号処理回路
１０    システムコントローラ
１０１    回転速度検出手段
１０２    ブーストポイント初期設定手段
１０３    ブーストポイント変化手段
１０４    ジッタ計測手段
１０５    ブーストポイント／ジッタ記憶手段
１０６    ブーストポイント選択設定手段
【図１】
2005149563.tif 000003
【図２】
2005149563.tif 000004
【図３】
2005149563.tif 000005
【図４】
2005149563.tif 000006